【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
左右一対の転動する転がり形状の転動部の間を、身体部位の裏側を乗せる身体乗部とし、各前記転動部の相互に向かい合う側に身体部位の側面を摺擦する凸状の摺擦部をそれぞれ設け、左右方向と直交する一方向から見た各前記摺擦部の凸状の膨らみの度合いが、前記左右方向及び前記一方向とそれぞれ直交する他方向から見た各前記摺擦部の凸状の膨らみの度合いよりも大きくなる形状とすると共に、各前記摺擦部を左右対称形状にしたことを特徴とする転動マッサージ具。
【請求項２】
前記身体乗部を屈曲可能に構成することを特徴とする請求項１に記載の転動マッサージ具。
【請求項３】
各前記転動部を左右一対の各前記転動部における左右方向から見て楕円形状にしたことを特徴とする請求項１又は請求項２に記載の転動マッサージ具。
【手続補正２】
【補正対象書類名】明細書
【補正対象項目名】０００６
【補正方法】変更
【補正の内容】
【０００６】  本発明の転動マッサージ具は、左右一対の転動する転がり形状の転動部の間を、身体部位の裏側を乗せる身体乗部とし、各前記転動部の相互に向かい合う側に身体部位の側面を摺擦する凸状の摺擦部をそれぞれ設け、左右方向と直交する一方向から見た各前記摺擦部の凸状の膨らみの度合いが、前記左右方向及び前記一方向とそれぞれ直交する他方向から見た各前記摺擦部の凸状の膨らみの度合いよりも大きくなる形状とすると共に、各前記摺擦部を左右対称形状にしたことを最も主要な特徴とする。
【手続補正３】
【補正対象書類名】明細書
【補正対象項目名】０００８
【補正方法】変更
【補正の内容】
【０００８】  さらに、本発明の転動マッサージ具は、各前記転動部を左右一対の各前記転動部における左右方向から見て楕円形状にすることができる。
【手続補正４】
【補正対象書類名】明細書
【補正対象項目名】０００９
【補正方法】変更
【補正の内容】
【０００９】  本発明の転動マッサージ具は、各前記転動部の相互に向かい合う側に身体部位の側面を摺擦する凸状の摺擦部をそれぞれ設け、左右方向と直交する一方向から見た各前記摺擦部の凸状の膨らみの度合いが、前記左右方向及び前記一方向とそれぞれ直交する他方向から見た各前記摺擦部の凸状の膨らみの度合いよりも大きくなる形状とすると共に、各前記摺擦部を左右対称形状にしているため、前記身体乗部に乗せた前記身体部位の裏側だけでなく側面も同時にマッサージすることができ、且つ各前記転動部が転動する時、各前記転動部の相互間隔は広がったり狭まったりすることを繰り返すため、前記身体部位の側面に対して強弱を付けたマッサージを実現し、マッサージ感が従来のものよりも向上する。
【手続補正５】
【補正対象書類名】明細書
【補正対象項目名】００１０
【補正方法】変更
【補正の内容】
【００１０】  また、本発明の転動マッサージ具として、前記身体乗部を屈曲可能に構成するなら、前記身体乗部に乗せた身体部位の裏側や側面だけでなく上面も同時にマッサージすることができ、さらにマッサージ感が向上する。また、各前記転動部の前記身体部位付近における相互間隔が最小になる状態から最大になる状態へ各前記転動部が転動する際、各前記転動部の接地平面と接地するそれぞれの下部の相互間隔も漸進的に大きくなるが、この時前記身体部位の重力が作用して、各前記転動部の接地平面と接地しているそれぞれの下部は、左右方向に加速的にスライドしながら離れるため、各前記転動部の上側は加速的に容易に相互に近づくことになる。このような構成のため、各前記転動部が少し転動しただけで、各前記転動部の間における前記身体部位に対する挟圧はすぐに容易に実施でき、マッサージ感は向上する。
【手続補正６】
【補正対象書類名】明細書
【補正対象項目名】００１１
【補正方法】変更
【補正の内容】
【００１１】  さらに、本発明の転動マッサージ具として、各前記転動部を左右一対の各前記転動部における左右方向から見て楕円形状にするなら、不使用時の転動を抑止し、静止状態を保って保管しやすくなるし、使い始める時に静止してマッサージしようとする前記身体部位を位置ずれすることなく容易に乗せることができるので不必要なストレスを感じず、その分マッサージ感は向上することになる。
【手続補正７】
【補正対象書類名】明細書
【補正対象項目名】００１５
【補正方法】変更
【補正の内容】
【００１５】  各前記転動部２は、図１及び図２に示すように転がり形状として床面や机面などの接地平面を転がる形状をしているが、例えば側面視において円形状のものや、円盤形状のものとするなら接地平面をスムーズに転動することができる。また、各前記転動部２を左右一対の各前記転動部２における左右方向から見た側面視において楕円形状のものとするなら、不使用時の転動を抑止し、静止状態を保って保管しやすくなるし、使い始める時に静止してマッサージしようとする前記身体部位Ｍを位置ずれすることなく容易に乗せることができるので不必要なストレスを感じず、その分マッサージ感は向上することになる。
【手続補正８】
【補正対象書類名】明細書
【補正対象項目名】００１８
【補正方法】変更
【補正の内容】
【００１８】  図３〜図５は、前記身体部位Ｍの中でも一例として腕を前記身体乗部３に上から乗せた状態を示している。本発明の前記転動マッサージ具１の特徴として、特に図２に示すように各前記転動部２の相互に向かい合う側に前記身体部位Ｍの側面を摺擦しマッサージする凸状の摺擦部２１をそれぞれ設けている。尚、図９は、各前記転動部２を反転形状にした場合、各前記摺擦部２１が凹状となることを示しているが、この構成の場合も同様、前記身体部位Ｍの側面を摺擦しマッサージすることができる。
【手続補正９】
【補正対象書類名】明細書
【補正対象項目名】００１９
【補正方法】変更
【補正の内容】
【００１９】  図２の正面図と図８の平面図から分かるように、見る角度によって各前記摺擦部２１の凸状の膨らみの度合いまたは凹状の凹みの度合いを異ならせている。すなわち、左右一対の各前記転動部２における前記左右方向と直交する一方向から見た図２の正面図では、各前記転動部２の中央における各前記摺擦部２１の凸状の膨らみの度合いが大きく、各前記転動部２の中央が相互に向かい合う側へ膨らんだ形状になっているが、左右一対の各前記転動部２における前記左右方向及び前記一方向とそれぞれ直交する他方向から見た図８の平面図では、各前記摺擦部２１の凸状の膨らみの度合いが大きくなく、各前記転動部２は平坦に近い形状をしている。さらに、図２のように各前記転動部２に設けた各前記摺擦部２１を左右対称形状にし、図３に示すように軸形状の前記身体乗部３に前記身体部位Ｍを乗せて前後に動かして各前記転動部２が転動する時、各前記転動部２の相互間隔は広がったり狭まったりすることを繰り返すため、前記身体部位Ｍの側面に対して強弱を付けたマッサージを実現し、マッサージ感が従来のものよりも向上する。尚、各前記摺擦部２１は一つの前記転動部２に対して複数設けてもよい。
【手続補正１０】
【補正対象書類名】明細書
【補正対象項目名】００２１
【補正方法】変更
【補正の内容】
【００２１】  前述のように、本発明の前記転動マッサージ具１は、図２の正面図では各前記転動部２の中央における各前記摺擦部２１の凸状の膨らみの度合いが大きく、各前記転動部２の中央が内側へ膨らんだ形状になっているが、図８の平面図では各前記摺擦部２１の凸状の膨らみの度合いが大きくなく、各前記転動部２は平坦に近い形状をしている。それに加えて、図２に示すように、各前記転動部２に設けた各前記摺擦部２１を左右対称形状にし、図３に示すように軸形状の前記身体乗部３に前記身体部位Ｍを乗せて前後に動かして各前記転動部２が転動する時、各前記転動部２の相互間隔は広がったり狭まったりすることを繰り返す。その上、前記身体乗部３を屈曲可能にした場合、各前記転動部２の前記身体部位Ｍ付近における相互間隔が最小になる状態から最大になる状態へ各前記転動部２が転動する際、各前記転動部２の接地平面と接地するそれぞれの下部の相互間隔も漸進的に大きくなるが、この時前記身体部位Ｍの重力が作用して、各前記転動部２の接地平面と接地しているそれぞれの下部は、左右方向に加速的にスライドしながら離れるため、各前記転動部２の上側は加速的に容易に相互に近づくことになる。このような構成のため、各前記転動部２が少し転動しただけで、各前記転動部２の間における前記身体部位Ｍに対する挟圧はすぐに容易に実施でき、マッサージ感は向上する。